(57)【特許請求の範囲】
【請求項１】
前方に底板、該底板の両側に立ち上げた側壁から成る端子接続部を有すると共に後方に電線接続部を有する端子本体と、前記端子接続部に別体の導電接触体を取り付けた受型接続端子において、
前記導電接触体は、前記端子接続部に組合わせて、前記端子接続部の天井部を形成する天板と、該天板の前端から後方に向けて折り返し前記端子接続部内に位置する可撓接触片とを有する板体から成り、
前記端子接続部の前記側壁の上端に前記導電接触体の天板の複数の縁片を載置し、前記端子接続部の一方の側壁の２個所から更に上方に延在したスタビライザを折り返してその折返端を前記天板上に当接し、
前記スタビライザと対向して前記他方の側壁の２個所から更に上方に延在した掛止片を前記天板上に折り曲げてその先端を前記スタビライザの前記折返端に突き当て、
前記端子接続部内において前記底部に設けた固定接触部と前記可撓接触片との間で、挿入された相手側挿込接続端子の挿込端を挟持することを特徴とする受型接続端子。
【請求項２】
前記導電接触体は前記端子本体よりも弾発性に優れた材料としたことを特徴とする請求項１に記載の受型接続端子。
【請求項３】
前記可撓接触片は下方に向けて「く」の字状の頂部を有する板ばねとしたことを特徴とする請求項２に記載の受型接続端子。
【発明の詳細な説明】
【技術分野】
【０００１】
本発明は、電線を後部に接続すると共に、コネクタハウジング内に収容して使用する受型接続端子に関するものである。
【背景技術】
【０００２】
一般に、相手側挿込接続端子の挿込端を受け入れる受型接続端子は、１枚の導電金属板を打抜いて、成型することにより製作している。そして、挿込端は受接続端子の内部に設けた可撓接触片と弾発的に接続することにより、良好な接続状態を得ることができる。
【０００３】
しかし、弾発性が良好な導電金属板の素材は高価であり、受接続端子全体をこの高価な素材で製作することとコストが大きくなる。このことから、例えば特許文献１において、図１２に示すように２つの部材から成る受接続端子が知られている。
【０００４】
この場合には、前方から順次に、相手側挿込接続端子の平刃状の挿込端Ｔを受け入れる例えば角筒状の端子接続部２と、Ｕ字状の芯線圧着部３、被覆圧着部４とを有する端子本体５と、端子接続部２の内部において、その底板２ａ側に配置された弾発性に富む素材から成る別体の可撓導電接触片６とから構成されている。端子接続部２の天板２ｂには、可撓導電接触片６と共働して相手側挿込接続端子の挿込端Ｔに圧接する固定接触部７が設けられている。
【０００５】
【特許文献１】特開２００１−３０７８０９号公報
【発明の開示】
【発明が解決しようとする課題】
【０００６】
しかしながら上述の従来例では、可撓導電接触片６の端子接続部２内への挿入を忘れたり、或いは２個の可撓導電接触片６を取り付けてしまうという問題がある。
【０００７】
本発明の目的は、上述の問題点を解消し、導電接触体の入れ忘れを目視で確認でき、また２個の導電接触体を入れることが不可能で、確実かつ簡便に製造し得る受型接続端子を提供することにある。
【課題を解決するための手段】
【０００８】
上記目的を達成するための本発明に係る受型接続端子は、前方に底板、該底板の両側に立ち上げた側壁から成る端子接続部を有すると共に後方に電線接続部を有する端子本体と、前記端子接続部に別体の導電接触体を取り付けた受型接続端子において、前記導電接触体は、前記端子接続部に組合わせて、前記端子接続部の天井部を形成する天板と、該天板の前端から後方に向けて折り返し前記端子接続部内に位置する可撓接触片とを有する板体から成り、前記端子接続部の前記側壁の上端に前記導電接触体の天板の複数の縁片を載置し、前記端子接続部の一方の側壁の２個所から更に上方に延在したスタビライザを折り返してその折返端を前記天板上に当接し、前記スタビライザと対向して前記他方の側壁の２個所から更に上方に延在した掛止片を前記天板上に折り曲げてその先端を前記スタビライザの前記折返端に突き当て、前記端子接続部内において前記底部に設けた固定接触部と前記可撓接触片との間で、挿入された相手側挿込接続端子の挿込端を挟持することを特徴とする。
【発明の効果】
【０００９】
本発明に係る受型接続端子によれば、２部材から構成されていても製造ミスが少なく、つまり端子本体は導電接触体が挿入されなければ簡便に視認で発見可能であり、２個の導電接触体が端子接続部内に挿入されることもない。
【発明を実施するための最良の形態】
【００１０】
本発明を図１〜図９に図示の実施例に基づいて詳細に説明する。
図１は本実施例に係る受型接続端子の正面図、図２は平面図、図３は側面図、図４は底面図、図５は図１のＡ−Ａ線に沿った縦断面図、図６はＢ−Ｂ線に沿った横断面図である。また、図７は導電接触体の平面図、図８は側面図、図９は底面図である。
【００１１】
実施例の受型接続端子は、図示しない電線が後部に接続され、コネクタハウジングに収容される幅１ｍｍ程度の端子本体１１と、この端子本体１１の内部に別体として配置された導電接触体１２とから構成されている。
【００１２】
端子本体１１は図１０の展開図に示すように肉厚０．１５ｍｍ程度の金属板から加工される。導電接触体１２は導電性に優れると共に、端子本体１１の材料よりも弾発性に優れた肉薄の図１１の展開図に示す金属板から加工される。端子本体１１には、導電接触体１２を収容する断面凹字型の端子接続部１３と、この端子接続部１３から後方に延在して、電線の芯線を圧着するＵ字状の芯線圧着部１４と電線被覆を圧着する被覆圧着部１５とから成る電線接続部が形成されている。
【００１３】
端子接続部１３は底部１３ａと、底部１３ａの両側から立ち上げた側板１３ｂ、１３ｃとを有している。一方の側板１３ｂの上部の２個所には、後述する導電接触体１２の天井部を覆う掛止片１３ｄ、１３ｅが形成されている。また、他方の側板１３ｃの掛止片１３ｄ、１３ｅに対向する位置の側板１３ｄには、スタビライザ１３ｆ、１３ｇが上方に向けて突出されている。更に、側板１３ｃの前部には端子接続部１３の入口側上部を覆う前板１３ｈが設けられている。底部１３ａには、上方に持ち上げた固定接触部１３ｉ、ハウジングの係止ランスを係止するための係止孔１３ｊが設けられている。
【００１４】
導電接触体１２は板体であり、平面状の天板１２ａと、この天板１２ａの前端から後方に折り返し、傾斜部１２ｂ、頂部１２ｃを有し、「く」の字状に曲げ、端部を自由端とした板ばねから成る可撓接触片１２ｄとから構成されている。また天板１２ａには、端子接続部１３の側板１３ｂ、１３ｃの上端に、導電接触体１２を載置させるための６個の縁片１２ｅが設けられている。更に天板１２ａには、可撓接触片１２ｄの過度の変形を防止するための下方を向く突起１２ｆが形成されている。
【００１５】
本実施例の受型接続端子を製作する際には、端子本体１１を裁断して展開した状態から折曲して組上げる過程で、端子接続部１３に導電接触体１２を組み合わせて、端子接続部１３の天井部に相当する部分に導電接触体１２の天板１２ａを配置し、端子接続部１３を略角筒型に組み立てる。つまり、導電接触体１２の複数の縁片１２ｅを、端子接続部１３の側板１３ｂ、１３ｃ上に載置し、頂部１２ｃを下側に向けた可撓接触片１２ｄを側板１３ｂ、１３ｃ間に配置する。そして、天板１２ａの上に、側板１３ｃから延在した掛止片１３ｄ、１３ｅを曲設して、天板１２ａを端子接続部１３に固定する。これらの掛止片１３ｄ、１３ｅは、上方において折り返され天板１２ａに当接したスタビライザ１３ｆ、１３ｇの折返端に突き当てられる。
このように可動接触片１２ｄを有する導電接触体１２を端子本体１１と組み合わせて、その天板１２ａを端子接続部１３の天井部として使用しているので、その使用は目視により確認でき、また２個の導電接触体１２を使用することは容積が大きくなり取り付けが困難となる。
【００１６】
この受型接続端子を使用する際には、端子本体１１の芯線圧着部１４、被覆圧着部１５に電線を圧着し、図示しないコネクタハウジング内に収容する。この場合に、スタビライザ１３ｆ、１３ｇがコネクタハウジングの収納部の壁部に沿って挿入されるので、受型接続端子の姿勢は安定する。
【００１７】
受型接続端子のコネクタハウジング内への挿入が終わると、コネクタハウジングに設けられた係止ランスが底部１３ａの係止孔１３ｊに係止して、受型接続端子がコネクタハウジング内に固定される。相手側接触端子の挿込端Ｔが挿入されていない状態においては、可撓接触片１２ｄの頂部１２ｃは底部１３ａの固定接触部１３ｉと間隔をおいて対向している。
【００１８】
ここで、相手側挿込接続端子の挿込端Ｔが、前板１３ｈの下方の入口部から、端子接続部１３内に挿入されると、挿込端Ｔは可撓接触片１２ｄの前方の傾斜部１２ｂにより案内されながら、可撓接触片１２ｄと固定接触部１３ｉの間に進入し、挟持される。そして、可撓接触片１２ｄの弾発力により接触圧が良好に保持され、挿込端Ｔは主に固定接触部１３ｉを介して端子本体１１と導通する。
【図面の簡単な説明】
【００１９】
【図１】実施例の受型接続端子の正面図である。
【図２】平面図である。
【図３】側面図である。
【図４】底面図である。
【図５】図１のＡ−Ａ線に沿った縦断面図である。
【図６】Ｂ−Ｂ線に沿った横断面図である。
【図７】導電接触体の平面図である。
【図８】側面図である。
【図９】底面図である。
【図１０】端子本体の展開図である。
【図１１】導電接触体の展開図である。
【図１２】従来例の受型接続端子の縦断面図である。
【符号の説明】
【００２０】
１１  端子本体
１２  導電接触体
１２ａ  天板
１２ｂ  傾斜部
１２ｃ  頂部
１２ｄ  可撓接触片
１２ｅ  縁片
１３  端子接続部
１３ａ  底部
１３ｂ、１３ｃ  側壁
１３ｄ、１３ｅ  掛止片
１３ｆ、１３ｇ  スタビライザ
１３ｈ  固定接触部
１３ｉ  係止孔
１４  芯線圧着部
１５  被覆圧着部
【図１】
0005203047.tif 000002
【図２】
0005203047.tif 000003
【図３】
0005203047.tif 000004
【図４】
0005203047.tif 000005
【図５】
0005203047.tif 000006
【図６】
0005203047.tif 000007
【図７】
0005203047.tif 000008
【図８】
0005203047.tif 000009
【図９】
0005203047.tif 000010
【図１０】
0005203047.tif 000011
【図１１】
0005203047.tif 000012
【図１２】
0005203047.tif 000013